(57)【要約】【課題】レンジフード等の送風装置における風量の制御は、風量を電圧信号として換算する風速センサーや動圧センサーや静圧センサーを送風装置によって発生する気流のメインの流れの中に配置するために、排気空気に含まれる油や埃がセンサーに付着、堆積するという課題があり、圧力検出部を気流のメインの流れの中に配置しないことで、排気空気に含まれる油や埃がセンサーに付着、堆積しなくなることができることを目的としている。【解決手段】主板６ａの背面側でありかつ、遠心ファン６の外径投影面よりも内側に圧力孔１５を配したのものであり、ファンケース３の内部圧力を測定する圧力孔１５を遠心ファン６の主板６ａの背面側、かつ遠心ファン６の外径投影面よりも内側に配置することで、直接気流があたらないようにすることができるという作用を有する。【選択図】図１
2008064335.tif 000002
【特許請求の範囲】
【請求項１】
主板と側板とブレートとで形成された遠心ファンとモータを搭載した送風手段と、前記モータをモードで制御する制御手段と、内部圧力を検出する圧力検出手段と、前記送風手段の運転風量を設定する設定手段と、前記圧力検出手段で検出された内部圧力と前記送風手段の静圧の関係を記憶する記憶手段と、前記内部圧力から前記送風手段の風量を算出する算出手段を備え、吸込口と吐出口を有したレンジフードの送風装置において、前記主板の背面側でありかつ、前記遠心ファンの外径投影面よりも内側に前記圧力検出部を配したことを特徴とするレンジフードの送風装置。
【請求項２】
圧力検出部は、内部に空間を有するように周囲を囲まれ、かつ、少なくとも１ヵ所以上の開口部を有する箱体の内部に配したことを特徴とする請求項１記載のレンジフードの送風装置。
【請求項３】
開口部は、下面に向いて開口を有することを特徴とする請求項２記載のレンジフードの送風装置。
【請求項４】
内部に空間を有するように周囲を囲まれ、かつ、少なくとも１ヵ所以上の開口部を有する箱体の中に、内部に空間を有するように周囲を囲まれ、かつ、少なくとも１ヵ所以上の開口部を有する箱体が１個以上有し、最外の箱体の開口部から内部にある全ての箱体の開口部を通る最短経路が、最外の箱体の開口部から圧力検出部まで直線で結ぶ最短経路より長いことを特徴とする請求項２記載のレンジフードの送風装置。
【請求項５】
主板の背面に遠心ファンの外径と同心円状のファン側円筒を有し、内面に遠心ファンの外径と同心円状かつ、ファン側円筒と直径の異なるケース側円筒を有し、このケース側円筒の内径側もしくは外径側に接触しないようにファン側円筒が回転し、前記ケース側円筒の内側に圧力検出部を配したことを特徴とする請求項１記載のレンジフードの送風装置。
【請求項６】
算出手段によって算出される風量は、内部圧力と送風手段の静圧との差から算出され、かつ設定手段で設定された運転風量になるように制御手段にてモータのモードを制御することを特徴とする請求項１〜５のいずれかに記載のレンジフードの送風装置。
【請求項７】
温度検出手段を備え、この温度検出手段からの温度検出値によって算出手段で算出される風量を補正することを特徴とする請求項１〜５のいずれかに記載のレンジフードの送風装置。
【請求項８】
外部に、大気圧検出手段を備え、この大気圧検出手段からの圧力検出値によって算出手段で算出される風量を補正することを特徴とする請求項１〜５のいずれかに記載のレンジフードの送風装置。
【請求項９】
設定手段によって設定した運転風量における内部圧力を圧力検出手段で検出し、この内部圧力を記憶手段にて記憶させることを特徴とする請求項１〜５のいずれかに記載のレンジフードの送風装置。
【請求項１０】
圧力検出手段によって検出された内部圧力と記憶手段にて記憶された内部圧力に基づいて内部の流路抵抗を予測し、この予測値と測定された流路抵抗値から内部圧力の変化を判別する流路抵抗判別手段と、この流路抵抗判別手段により前記内部圧力の変化が異常と判別されたときに異常信号によって異常を知らしめる異常信号手段を備えたことを特徴とする請求項９記載のレンジフードの送風装置。
【請求項１１】
制御手段として、モータをＤＣモータとし、前記ＤＣモータの印加電圧を変化させることを特徴とする請求項１〜１０のいずれかに記載のレンジフードの送風装置。
【請求項１２】
制御手段として、モータをＡＣモータとし、前記ＡＣモータの印加電圧を変化させることを特徴とする請求項１〜１０のいずれかに記載のレンジフードの送風装置。
【請求項１３】
制御手段として、モータをＡＣモータとし、前記ＡＣモータの周波数を変化させることを特徴とする請求項１〜１０のいずれかに記載のレンジフードの送風装置。
【請求項１４】
制御手段として、モータをＡＣモータとし、サイリスタによって前記ＡＣモータの周波数の出力成分を変化させることを特徴とする請求項１〜１０のいずれかに記載のレンジフードの送風装置。
【請求項１５】
モータはコンデンサーを有するＡＣモータとし、制御手段として、前記コンデンサーの容量を変化させることを特徴とする請求項１〜１０のいずれかに記載のレンジフードの送風装置。
【発明の詳細な説明】
【技術分野】
【０００１】
本発明は、調理時に発生する廃ガス、油煙、臭気などを、確実に屋外へ排出するレンジフードの送風装置に関するものである。
【背景技術】
【０００２】
近年、レンジフード等の送風装置においては、調理の状態や設置時の配管の配管長による圧力損失や居室の状況に応じて、最適な風量で換気ができるような制御性のよい送風装置が求められており、種々のレンジフードの送風装置が開発されてきた。このレンジフードの送風装置における風量の制御は、配管時の配管長によらず同じ調理の状態で必要とする換気風量を同一とすることで、余分な風量を削減し騒音や入力を低下させたりするものである。
【０００３】
従来、このレンジフードの送風装置のような排気設備の風量制御には、送風装置によって発生する気流がメインに流れる風路に風速センサーや動圧センサーを配置し、風速センサーや動圧センサーからの電圧信号を風量に換算して、その時の風量に応じた制御を行っていた（例えば、特許文献１参照）。以下、その装置の動作について図１３を参照しながら説明する。
【０００４】
図１３において、１０１はシロッコファン、１０２はモータ、１０３はケーシング、１０４は送風装置、１０５は制御手段、１０６は風速センサー、１０７はダクトである。
【０００５】
つぎに、図１３における動作を説明する。制御手段１０５によりモータ１０２に通電され、このモータ１０２の回転軸に固定されたシロッコファン１０１の回転動作により送風装置１０４が運転され、室内の空気がダクト１０７を通して排気される。このとき送風装置１０４の出口に介在する風速センサー１０６によってその時の風速を検知し、この風速値に応じて制御手段１０５によりモータ１０２の印加電圧を可変し、送風装置１０４の風量を変化させる。
【０００６】
また、他の方式の風量制御には、送風装置前後の各々静圧センサーからの電圧信号差より風量に換算して、その風量に応じた制御を行っていた（例えば、特許文献２参照）。以下、その装置の動作について図１４を参照しながら説明する。
【０００７】
図１４において、１０１はシロッコファン、１０２はモータ、１０３はケーシング、１０４は送風装置、１０５は制御手段、１０６ａは上流側静圧センサー、１０６ｂは下流側静圧センサー、１０７はダクトである。
【０００８】
つぎに、図１４における動作を説明する。制御手段１０５によりモータ１０２に通電され、このモータ１０２の回転軸に固定されたシロッコファン１０１の回転動作により送風装置１０４が運転され、室内の空気がダクト１０７を通して排気される。このとき送風装置１０４の出口に介在する下流側静圧センサー１０６ｂの電圧値から入口に介在する上流側静圧センサー１０６ａの電圧値を減算し、この電圧値に応じて制御手段１０５によりモータ１０２の印加電圧を可変し、送風装置１０４の風量を変化させる。
【特許文献１】特開昭６３−１２３９３５号公報（図１）
【特許文献２】実開昭５７−１１９２２４号公報（図１）
【発明の開示】
【発明が解決しようとする課題】
【０００９】
このような従来のレンジフードの送風装置では、レンジフード等の送風装置における風量の制御は、風量を電圧信号として換算する風速センサーや動圧センサーや静圧センサーを送風装置によって発生する気流のメインの流れの中に配置するために、排気空気に含まれる油や埃がセンサーに付着、堆積するという課題があった。また、ファンケース内部に付着した油等が上部から流れ、センサーに付着、堆積するという課題がある。また、配管圧損の低いところでは過流量によるものやフィルター等に油が付着して同一風量時の静圧が上昇した場合に、入力、騒音上昇という課題があった。また、ガス等の調理器具からの排熱や調理等の熱や室内温度によって排気空気の温度変化によるものや、大気圧変化によって差圧変化により、同一差圧時の風量が変わるという課題があった。
【００１０】
本発明は、このような従来の課題を解決するものであり、圧力検出部を気流のメインの流れの中に配置しないことで、排気空気に含まれる油や埃がセンサーに付着、堆積しなくなることができ、ファンケース内部に堆積した油等が流れセンサーに付着、堆積しなくなることができ、無駄な入力、騒音の上昇を低減することができ、しかも、排気空気の温度変化によるものや、あるいは大気圧変化による差圧変化によっても、同一差圧時の風量が変わらないようにすることで、風量を補正し所望の風量とすることができるレンジフードの送風装置を提供することを目的としている。
【課題を解決するための手段】
【００１１】
本発明のレンジフードの送風装置は上記目標を達成するため、主板と側板とブレートとで形成された遠心ファンとモータを搭載した送風手段と、前記モータをモードで制御する制御手段と、内部圧力を検出する圧力検出手段と、前記送風手段の運転風量を設定する設定手段と、前記圧力検出手段で検出された内部圧力と前記送風手段の静圧の関係を記憶する記憶手段と、前記内部圧力から前記送風手段の風量を算出する算出手段を備え、吸込口と吐出口を有したレンジフードの送風装置において、前記主板の背面側でありかつ、前記遠心ファンの外径投影面よりも内側に前記圧力検出部を配したことを特徴とする。
【００１２】
そして、本発明によれば圧力検出部を気流のメインの流れの中に配置しないことで、排気空気に含まれる油や埃がセンサーに付着、堆積しなくなることができるレンジフードの送風装置が得られる。
【００１３】
また、圧力検出部は、内部に空間を有するように周囲を囲まれ、かつ、少なくとも１ヵ所以上の開口部を有する箱体の内部に配したことを特徴とする。そして、本発明によればファンケース内部に堆積した油等が流れセンサーに付着、堆積しなくなることができるレンジフードの送風装置が得られる。
【００１４】
また、開口部は、下面に向いて開口を有することを特徴とする。そして、本発明によればファンケース上部から流れてきた油の侵入を防ぐことができるレンジフードの送風装置が得られる。
【００１５】
また、内部に空間を有するように周囲を囲まれ、かつ、少なくとも１ヵ所以上の開口部を有する箱体の中に、内部に空間を有するように周囲を囲まれ、かつ、少なくとも１ヵ所以上の開口部を有する箱体が１個以上有し、最外の箱体の開口部から内部にある全ての箱体の開口部を通る最短経路が、最外の箱体の開口部から圧力検出部まで直線で結ぶ最短経路より長いことを特徴とする。そして、本発明によればファンケース上部から流れてきた油の侵入を防ぐことができるレンジフードの送風装置が得られる。
【００１６】
また、主板の背面に遠心ファンの外径と同心円状のファン側円筒を有し、内面に遠心ファンの外径と同心円状かつ、ファン側円筒と直径の異なるケース側円筒を有し、このケース側円筒の内径側もしくは外径側に接触しないようにファン側円筒が回転し、前記ケース側円筒の内側に圧力検出部を配したことを特徴とする。そして、本発明によれば圧力検出部を気流のメインの流れの中に配置しないことで、排気空気に含まれる油や埃がセンサーに付着、堆積し、ファンケース上部から流れてきた油の侵入を防ぐことができるレンジフードの送風装置が得られる。
【００１７】
また、算出手段によって算出される風量は、内部圧力と送風手段の静圧との差から算出され、かつ設定手段で設定された運転風量になるように制御手段にてモータのモードを制御することを特徴とする。そして、本発明によれば配管圧損の低いところでも過流量による入力、騒音の上昇を低減することができるレンジフードの送風装置が得られる。
【００１８】
また、温度検出手段を備え、この温度検出手段からの温度検出値によって算出手段で算出される風量を補正することを特徴とする。そして、本発明によれば排気空気の温度が変わっても、温度検出値によって風量を補正し所望の風量とすることができるレンジフードの送風装置が得られる。
【００１９】
また、外部に、大気圧検出手段を備え、この大気圧検出手段からの圧力検出値によって算出手段で算出される風量を補正することを特徴とする。そして、本発明によれば大気圧が変わっても、圧力検出値によって風量を補正し所望の風量とすることができるレンジフードの送風装置が得られる。
【００２０】
また、設定手段によって設定した運転風量におけるファンケースの内部圧力を圧力検出手段で検出し、この内部圧力を記憶手段にて記憶させることを特徴とする。そして、本発明によれば一時的に差圧が変化しても、モータのモードを変更する制御させないことができるレンジフードの送風装置が得られる。
【００２１】
また、圧力検出手段によって検出された内部圧力と記憶手段にて記憶された内部圧力に基づいて内部の流路抵抗を予測し、この予測値と測定された流路抵抗値から内部圧力の変化を判別する流路抵抗判別手段と、この流路抵抗判別手段により前記内部圧力の変化が異常と判別されたときに異常信号によって異常を知らしめる異常信号手段を備えたことを特徴とする。そして、本発明によればフィルター等に油が付着して同一風量時の静圧が上昇した場合に、異常信号によって異常を知らしめ、無駄な遠心ファンの入力、騒音上昇を改善させることができるレンジフードの送風装置が得られる。
【００２２】
また、制御手段として、モータをＤＣモータとし、前記ＤＣモータの印加電圧を変化させることを特徴とする。そして、本発明によれば配管圧損の低いところでも過流量による入力、騒音の上昇を低減することができるレンジフードの送風装置が得られる。
【００２３】
また、制御手段として、モータをＡＣモータとし、前記ＡＣモータの印加電圧を変化させることを特徴とする。そして、本発明によれば配管圧損の低いところでも過流量による入力、騒音の上昇を低減することができるレンジフードの送風装置が得られる。
【００２４】
また、制御手段として、モータをＡＣモータとし、前記ＡＣモータの周波数を変化させることを特徴とする。そして、本発明によれば配管圧損の低いところでも過流量による入力、騒音の上昇を低減することができるレンジフードの送風装置が得られる。
【００２５】
また、制御手段として、モータをＡＣモータとし、サイリスタによって前記ＡＣモータの周波数の出力成分を変化させることを特徴とする。そして、本発明によれば配管圧損の低いところでも過流量による入力、騒音の上昇を低減することができるレンジフードの送風装置が得られる。
【００２６】
また、モータはコンデンサーを有するＡＣモータとし、制御手段として、前記コンデンサーの容量を変化させることを特徴とする。そして、本発明によれば配管圧損の低いところでも過流量による入力、騒音の上昇を低減することができるレンジフードの送風装置が得られる。
【発明の効果】
【００２７】
本発明によれば、圧力検出部に、気流に含まれる油等の付着がないため、圧力検出部を正常に動作させることができるという効果のあるレンジフードの送風装置を提供できる。
【００２８】
また、圧力検出部に、ファンケース内に堆積し流れてくる油等の付着がないため、圧力検出部を正常に動作させることができるという効果のあるレンジフードの送風装置を提供できる。
【００２９】
また、過流量によるものやフィルターの目詰まりによる入力、騒音の上昇を低減することができるという効果のあるレンジフードの送風装置を提供できる。
【００３０】
また、排気空気の温度変化によるものや、あるいは大気圧変化による差圧変化によっても、同一差圧時の風量が変わらないようにすることにより、算出手段で算出される風量を補正することにより風量を補正することで、所望の風量とすることができるという効果のあるレンジフードの送風装置を提供できる。
【発明を実施するための最良の形態】
【００３１】
本発明の請求項１記載の発明は、主板と側板とブレートとで形成された遠心ファンとモータを搭載した送風手段と、前記モータをモードで制御する制御手段と、レンジフードの送風装置の内部圧力を検出する圧力検出手段と、前記送風手段の運転風量を設定する設定手段と、前記圧力検出手段で検出された内部圧力と前記送風手段の静圧の関係を記憶する記憶手段と、前記内部圧力から前記送風手段の風量を算出する算出手段を備え、吸込口と吐出口を有したレンジフードの送風装置において、前記主板の背面側でありかつ、前記遠心ファンの外径投影面よりも内側に前記圧力検出部を配したものであり、ファンケースの内部圧力を測定する圧力検出部を遠心ファンの主板の背面側、かつ遠心ファンの外径投影面よりも内側に配置することで、直接気流があたらないようにし、圧力検出部に、気流に含まれる油等の付着がないため、圧力検出部を正常に動作させることができるという作用を有する。
【００３２】
本発明の請求項２記載の発明は、圧力検出部は、内部に空間を有するように周囲を囲まれ、かつ、少なくとも１ヵ所以上の開口部を有する箱体の内部に配したものであり、圧力検出部の周囲を一ヶ所以上の開口部をもつ箱体で囲うことで、直接圧力検出部に油等が流れ付着しないようにすることができるという作用を有する。
【００３３】
本発明の請求項３記載の発明は、開口部は、下面に向いて開口を有するものであり、下面に向いて開口を有することで、ファンケース上部から流れてきた油の侵入をしないようにすることができるという作用を有する。
【００３４】
本発明の請求項４記載の発明は、内部に空間を有するように周囲を囲まれ、かつ、少なくとも１ヵ所以上の開口部を有する箱体の中に、内部に空間を有するように周囲を囲まれ、かつ、少なくとも１ヵ所以上の開口部を有する箱体が１個以上有し、最外の箱体の開口部から内部にある全ての箱体の開口部を通る最短経路が、最外の箱体の開口部から圧力検出部まで直線で結ぶ最短経路より長いものであり、最外の箱体から油等が侵入した場合でも直接圧力検出部に流れてきた油が流れ込まない構造とすることで、圧力検出部に油等が付着しないようにすることができるという作用を有する。
【００３５】
本発明の請求項５記載の発明は、主板の背面に遠心ファンの外径と同心円状のファン側円筒を有し、レンジフードの送風装置の内面に遠心ファンの外径と同心円状かつ、ファン側円筒と直径の異なるケース側円筒を有し、このケース側円筒の内径側もしくは外径側に接触しないようにファン側円筒が回転し、前記ケース側円筒の内側に圧力検出部を配したものであり、レンジフードの送風装置、すなわち、ファンケースの内部圧力を測定する圧力検出部を遠心ファンの主板の背面側、かつ遠心ファンの外径投影面よりも内側に配置し円筒壁を配することで、直接気流があたらないようにすることができるのとともに、ファンケース上部から流れてきた油の侵入をしないようにすることができるという作用を有する。
【００３６】
本発明の請求項６記載の発明は、算出手段によって算出される風量は、内部圧力と送風手段の静圧との差から算出され、かつ設定手段で設定された運転風量になるように制御手段にてモータのモードを制御するものであり、内部圧力と送風手段の静圧との差から算出された風量は、配管圧損の低いところでも設定された運転風量になるようにモータのモードを制御することで、過流量にならないようにし、入力、騒音の上昇を低減することができるという作用を有する。
【００３７】
本発明の請求項７記載の発明は、レンジフードの送風装置の中に温度検出手段を備え、この温度検出手段からの温度検出値によって算出手段で算出される風量を補正することにより、同一差圧時の風量が変わらないようにすることができ、排気空気の温度が変わっても、ファンケースの温度検出値によって風量を補正することで、所望の風量とすることができるという作用を有する。
【００３８】
本発明の請求項８記載の発明は、レンジフードの送風装置の外部に、大気圧検出手段を備え、この大気圧検出手段からの圧力検出値によって算出手段で算出される風量を補正するものであり、大気圧が変わっても、ファンケース外部の圧力検出値によって風量を補正することで、所望の風量とすることができるという作用を有する。
【００３９】
本発明の請求項９記載の発明は、設定手段によって設定した運転風量におけるレンジフードの送風装置の内部圧力を圧力検出手段で検出し、この内部圧力を記憶手段にて記憶させるものであり、記憶している内部圧力値に対し、レンジフードの送風装置の内部で検出された内部圧力値が一時的に変化しても、モータのモードを変更する制御させないことができるという作用を有する。
【００４０】
本発明の請求項１０記載の発明は、圧力検出手段によって検出された内部圧力と記憶手段にて記憶された内部圧力に基づいて、レンジフードの送風装置内部の流路抵抗を予測し、この予測値と測定された流路抵抗値から内部圧力の変化を判別する流路抵抗判別手段と、この流路抵抗判別手段により前記内部圧力の変化が異常と判別されたときに異常信号によって異常を知らしめる異常信号手段を備えたものであり、記憶している内部圧力値から予測した流路抵抗に対しレンジフードの送風装置、すなわち、ファンケース内で検出された内部圧力値から算出した流路抵抗を比較することにより、異常を判別した場合に異常信号を発信することができるという作用を有する。
【００４１】
本発明の請求項１１記載の発明は、制御手段として、モータをＤＣモータとし、前記ＤＣモータの印加電圧を変化させるものであり、ＤＣモータの印加電圧を変化させることで過流量にならないようにすることができるという作用を有する。
【００４２】
本発明の請求項１２記載の発明は、制御手段として、モータをＡＣモータとし、前記ＡＣモータの印加電圧を変化させるものであり、ＡＣモータの印加電圧を変化させることで過流量にならないようにすることができるという作用を有する。
【００４３】
本発明の請求項１３記載の発明は、制御手段として、モータをＡＣモータとし、前記ＡＣモータの周波数を変化させるものであり、ＡＣモータの周波数を変化させることで過流量にならないようにすることができるという作用を有する。
【００４４】
本発明の請求項１４記載の発明は、制御手段として、モータをＡＣモータとし、サイリスタによって前記ＡＣモータの周波数の出力成分を変化させるものであり、ＡＣモータの周波数の出力成分を変化させることで過流量にならないようにすることができるという作用を有する。
【００４５】
本発明の請求項１５記載の発明は、モータはコンデンサーを有するＡＣモータとし、制御手段として、前記コンデンサーの容量を変化させるものであり、ＡＣモータのコンデンサーの容量を変化させることで過流量にならないようにすることができるという作用を有する。
【００４６】
以下、本発明の実施の形態について図１〜図１２を参照しながら説明する。
【００４７】
（実施の形態１）
図１〜３は、本発明の実施の形態１におけるレンジフードの送風装置の構成図であり、図４は内部圧力から静圧を減算した圧力差と風量の近似式であり、図５は温度と内部圧力補正の近似式であり、図６は大気圧と内部圧力補正の近似式であり、図７はＡＣモータ電圧変化の構成図であり、図８はＡＣモータ周波数変化の構成図であり、図９はＡＣモータ周波数の出力成分変化の構成図であり、図１０はＡＣモータコンデンサー容量変化の構成図である。
【００４８】
図１に示すように、レンジフード１は、キッチン等の居室内の調理時で発生した油煙等を効率良く捕集するフード２と、捕集した油煙を効率良く除去する油煙除去フィルター２ａと、レンジフード１の送風装置としての箱状の外郭となるレンジフードの送風装置であるファンケース３から構成され、ファンケース３の外郭には、フード２で捕集した油煙をレンジフード１の送風装置としてのファンケース３内部へ吸込む吸込口４とファンケース３内部から屋外へ排気する吐出口５を備え、ファンケース３の内部には、フード２で捕集した油煙を屋外へ排気する遠心ファン６と、この遠心ファン６を駆動させるＤＣモータ７ａと、このＤＣモータ７ａをファンケース３内部に固定するモータ脚８と、ファンケース３の内部圧力を検出するチューブ９と、ＤＣモータ７ａの出力を制御する制御装置１０を囲う制御ＢＯＸ１１で構成され、制御ＢＯＸ１１の内部には、制御装置１０と、検出された内部圧力を電圧値に変換する圧力センサー１２と、ファンケース３の内部圧力と遠心ファン６の静圧との関係を記憶する記憶装置１３と、圧力センサー１２の値からその時の風量を計算する算出装置１４を備えている。
【００４９】
遠心ファン６は、主板６ａ、側板６ｂ、複数枚のブレード６ｃで構成され、主板６ａはＤＣモータ７ａの回転軸と合致するようにＤＣモータ７ａのシャフトに結合され、主板６ａの面上にブレード６ｃが円周方向に複数枚配され、このブレード６ｃは主板６ａと側板６ｂに挟み込まれるように堅固に固定されている。チューブ９は、遠心ファン６の主板６ａの裏側、つまりブレード６ｃが取り付いている面と反対側でかつ、遠心ファン６の外径よりも内周側に開口端９ａを持つように配され、この開口端９ａは、熱伝対等の熱を電圧差に変換させる温度検出手段としての温度検出器９ｂとともに下面に圧力孔１５をもつ箱状のカバー１６で囲われ、他方の端を圧力センサー１２に接続した構成となっている。フード２の外郭には、ＤＣモータ７ａの出力をＯＮ／ＯＦＦさせて遠心ファン６を運転するスイッチ１７ａと、風量モードを切り替えるスイッチ１７ｂと、運転時のファンケース３の内部圧損、流路抵抗を記憶させるスイッチ１７ｃと、油煙除去フィルター２ａの目詰まりを表示するフィルター交換サイン１７ｄを有する制御板１７と大気圧を測定する気圧検出器１８が配されている。ファンケース３の中に温度検出器９ｂが備えられている。
【００５０】
ここで、図１では、レンジフード１はフード２の上部にファンケース３があり、ファンケースと屋外を連通するようにダクト１０７が配された構成となっているが、図２のように、フード２とファンケース３が分離しており、居室外にあるファンケース３がフード２および屋外とダクト１０７で接続する構成であってもよく、また、図３のように、フード２とファンケース３が分離しており、ファンケース３が屋外にありフード２とダクト１０７で接続する構成であってもよい。
【００５１】
つぎに、図１〜４における動作を説明する。スイッチ１７ａによって運転を、また、スイッチ１７ｂによって風量モードを設定されたレンジフード１は、制御装置１０によってＤＣモータ７ａに電圧を印加させて遠心ファン６を運転させると同時に、チューブ９の開口端９ａの内部圧力値を圧力センサー１２で測定し、この測定した内部圧力値とあらかじめ記憶装置１３に記憶された静圧値から流路抵抗を予測し、すなわち、内部圧力を減算した圧力差と風量の関係の近似式（図４）から算出装置１４によって風量を算出し、制御装置１０によって、この算出された風量と設定された風量モードの比較を行い、設定された風量モードの風量になるようにＤＣモータ７ａの電圧を可変させて遠心ファン６の風量を調節する。ここで、設定した風量の±５％以内の範囲になれば風量の調整を完了させた方が、ハンチング等の過追従を防止させることができる。
【００５２】
つぎに、開口端９ａの油等からの対策に関して説明する。レンジフード１を運転すると、フード２によって効率良く捕集された油煙は、油煙除去フィルター２ａによって油煙の６０％程度は除去できるが、残りの油煙は吸込口４からファンケース３の中に流入する。この流入した油煙は、遠心ファン６やファンケース３の内壁に付着したり、遠心ファン６から吐出口５に向かうメインの気流にのって吐出口５から屋外へ排出される。チューブ９の開口端９ａは、遠心ファン６の主板６ａの裏側かつ遠心ファン６の直径より内径側に配しているので、遠心ファン６から吐出口５に向かうメインの気流の流れ上では無い為、油煙が付着しにくく、また、ファンケース３の内壁に付着し流れ落ちる油等も、下面に圧力孔１５を有するカバー１６によって、カバー１６の中へ流入はし難く、開口端９ａへの油の付着はし難いため、開口端９ａでのファンケース３の内部圧力を圧力センサー１２によって正確に測定することが可能である。
【００５３】
つぎに、雰囲気の条件が変わった場合の動作に関して説明する。ガス等の調理器具からの排熱や調理等の熱や室内温度によって排気空気の温度が変わり、同一差圧時の風量が変わった場合は、開口端９ａ近傍にある温度検出器９ｂによって温度を測定し、温度と内部圧力補正の近似式（図５）より制御装置１０によってその温度時の内部圧力を補正し風量を調整する。温度と内部圧力補正の近似式は、温度２０℃の時を基準値として内部圧力補正値＝１としており、各温度時においては、内部圧力×内部圧力補正値で計算された値を内部圧力値としている。また、大気圧変化によって差圧が変わり、同一差圧時の風量が変わった場合は、フード２の外郭にある大気圧を測定する気圧検出器１８によって大気圧を測定し、大気圧と内部圧力の近似式（図６）より制御装置１０によってその大気圧時の内部圧力を補正し風量を調整する。大気圧と内部圧力補正の近似式は、大気圧１０１３ｈＰａの時を基準値として内部圧力補正値＝１としており、各大気圧時においては、内部圧力×内部圧力補正値で計算された値を内部圧力値としている。気圧検出器１８としては、気圧が計測できればよく、例えば、大気圧センサなどがある。ファンケース３の外部に、大気圧検出手段としての気圧検出器１８が備えられている。
【００５４】
また、屋外の外風圧によって一時的に遠心ファン６の静圧が変動した場合は、制御板１７によって設定した風量におけるファンケース３の内部圧力を記憶装置１３によって記憶し、この設定した風量の±５％以内となる内部圧力の変動においては、制御装置１０からＤＣモータ７ａへの出力変更は行わず、ハンチング等の過追従を防止させる。また、油煙除去フィルター２ａに付着した油等により油煙除去フィルター２ａの圧力損失が変わった場合は、あらかじめ油煙除去フィルター２ａに油等が付着していない状態の時に、スイッチ１７ｃにより運転時の内部圧力を記憶装置１３に記憶させておき、算出装置１４にて、この記憶された内部圧力と油煙除去フィルター２ａの圧力損失が変わった時の内部圧力を比較し、制御装置１０によって油煙除去フィルター２ａが目詰まりする程の圧力損失が増大したと判断した場合は、異常と判別し、異常信号である制御板１７のフィルター交換サイン１７ｄを表示させ、すなわち、異常を知らしめて、フィルターの交換または洗浄を促すことができる。
【００５５】
以上のように、本実施の形態１では、圧力検出部となる開口端９ａは、気流に含まれる油等の付着がないため、圧力検出部を正常に動作させることができる。また、ファンケース３内に堆積し流れてくる油等の付着がないため、圧力検出部を正常に動作させることができる。また、過流量によるものやフィルターの目詰まりによる入力、騒音の上昇を低減することができる。また、算出手段で算出される風量を補正することにより風量を補正することで、所望の風量にすることができるレンジフードの送風装置を提供できる。
【００５６】
なお、実施の形態１では、遠心ファン６を駆動させるモータにＤＣモータ７ａを用い、出力の制御にＤＣモータ７ａの印加電圧を変化させたが、図７のように、ＤＣモータ７ａにかえてＡＣモータ７ｂを用いて出力の制御にＡＣモータ７ｂの印加電圧を変化させてもよく、その作用効果に差異を生じない。また、図８のように、ＡＣモータ７ｂとＡＣモータ７ｂの出力制御にインバータ７ｃを用いてＡＣモータ７ｂの周波数を変化させてもよい。また、図９のように、ＡＣモータ７ｂとＡＣモータ７ｂの出力制御にサイリスタ７ｄを用いてＡＣモータ７ｂの周波数の出力成分、具体的には波形の後半部分の出力を「０」にする変化をさせてもよい。また、図１０のようにＡＣモータ７ｂとＡＣモータ７ｂの出力制御に複数のコンデンサー７ｅを用いてＡＣモータ７ｂのコンデンサー７ｅの容量を変化させてもよい。
【００５７】
（実施の形態２）
図１１は、本発明の実施の形態２におけるレンジフードの送風装置のカバー断面図である。図１１において、図１と同じ構成要素については同じ符号を用い、説明を省略する。
【００５８】
圧力孔１５をもつカバー１６の外側に圧力孔１５ａをもつ外カバー１６ａ、内側に圧力孔１５ｂをもつ内カバー１６ｂで構成され、開口端９ａは熱伝対等の熱を電圧差に変換させる温度検出器９ｂとともに内カバー１６ｂで囲われ、開口端９ａと圧力孔１５を通る直線上に圧力孔１５ａ，１５ｂが介在しない構成となっている。遠心ファン６が運転されるとレンジフード１の送風装置としてのファンケース３の内部圧力が上昇し、この上昇した内部圧力は、ファンケース３の内壁に圧力をかけるために外カバー１６ａに開口している圧力孔１５ａ、カバー１６に開口している圧力孔１５、内カバー１６ｂに開口している圧力孔１５ｂ、開口端９ａ、チューブ９、圧力センサー１２に圧力を加え、圧力センサー１２で電圧に変換している。このとき、最外にある外カバー１６ａの圧力孔１５ａと開口端９ａを直線で結んだ距離よりも圧力孔１５ａ〜圧力孔１５〜圧力孔１５ｂ〜開口端９ａを結ぶ距離の方が、圧力孔１５、圧力孔１５ａ、圧力孔１５ｂが直線状に開口しないため距離が長くなる。
【００５９】
以上のように、本実施の形態２では、圧力検出部となる開口端９ａは、気流に含まれる油等の付着がないため、圧力検出部を正常に動作させることができる。また、レンジフードの送風装置としてのファンケース３内に堆積し流れてくる油等の付着がないため、圧力検出部を正常に動作させることができる。
【００６０】
（実施の形態３）
図１２は、本発明の実施の形態３におけるレンジフードの送風装置の構成図である。図１２において、図１と同じ構成要素については同じ符号を用い、説明を省略する。
【００６１】
遠心ファン６の主板６ａの裏側、つまりブレード６ｃが取り付いている面と反対側に円筒突起状のファン円筒１９を備えており、また、遠心ファン６の主板６ａの裏側、かつレンジフード１の送風装置としてのファンケース３の内壁から遠心ファン６の外径と同心円状でファン円筒１９の直径と異なるケース円筒２０ａ、ケース円筒２０ｂを備え、ケース円筒２０ａはファン円筒１９の外径側に配し、ケース円筒２０ｂはファン円筒１９の内径側に配し、ケース円筒２０ａおよびケース円筒２０ｂはファン円筒１９とは接触しないように備え、チューブ９の開口端９ａは、ケース円筒２０ｂと遠心ファン６の主板６ａとファンケース３の内壁で囲まれた中に構成されている。
【００６２】
以上のように、本実施の形態３では、圧力検出部となる開口端９ａは、気流に含まれる油等の付着がないため、圧力検出部を正常に動作させることができる。また、ファンケース３内に堆積し流れてくる油等の付着がないため、圧力検出部を正常に動作させることができる。
【産業上の利用可能性】
【００６３】
本発明にかかるレンジフードの送風装置は、圧力検出部を油や埃が付着しないようにファンケースに取付けることにより、正確な内部圧力から一定の風量を制御させて、騒音特性、消電力化を向上させるレンジフードとして有用であり、換気全般の用途にも適用できる。
【図面の簡単な説明】
【００６４】
【図１】本発明の実施の形態１のレンジフードの送風装置を示す構成図
【図２】同レンジフードの送風装置を示す構成図
【図３】同レンジフードの送風装置を示す構成図
【図４】同レンジフードの送風装置の圧力差と風量の近似式を示す図
【図５】同レンジフードの送風装置の温度と内部圧力補正の近似式を示す図
【図６】同レンジフードの送風装置の大気圧と内部圧力補正の近似式を示す図
【図７】同レンジフードの送風装置のＡＣモータ電圧変化を示す構成図
【図８】同レンジフードの送風装置のＡＣモータ周波数変化示す構成図
【図９】同レンジフードの送風装置のＡＣモータ周波数の出力成分変化示す構成図
【図１０】同レンジフードの送風装置のＡＣモータコンデンサー容量変化示す構成図
【図１１】本発明の実施の形態２のレンジフードの送風装置のカバー断面図
【図１２】本発明の実施の形態３のレンジフードの送風装置を示す構成図
【図１３】従来のレンジフードの送風装置を示す構成図
【図１４】従来の換気扇の送風装置を示す構成図
【符号の説明】
【００６５】
１      レンジフード
３      ファンケース
４      吸込口
５      吐出口
６      遠心ファン
６ａ    主板
６ｂ    側板
６ｃ    ブレード
７ａ    ＤＣモータ
７ｂ    ＡＣモータ
７ｃ    インバータ
７ｄ    サイリスタ
７ｅ    コンデンサー
９      チューブ
９ａ    開口端
９ｂ    温度検出器
１０    制御装置
１２    圧力センサー
１３    記憶装置
１４    算出装置
１５    圧力孔
１５ａ  圧力孔
１５ｂ  圧力孔
１６    カバー
１６ａ  外カバー
１６ｂ  内カバー
１７    制御板
１７ａ  スイッチ
１７ｂ  スイッチ
１７ｃ  スイッチ
１７ｄ  フィルター交換サイン
１８    気圧検出器
１９    ファン円筒
２０ａ  ケース円筒
２０ｂ  ケース円筒
【図１】
2008064335.tif 000003
【図２】
2008064335.tif 000004
【図３】
2008064335.tif 000005
【図４】
2008064335.tif 000006
【図５】
2008064335.tif 000007
【図６】
2008064335.tif 000008
【図７】
2008064335.tif 000009
【図８】
2008064335.tif 000010
【図９】
2008064335.tif 000011
【図１０】
2008064335.tif 000012
【図１１】
2008064335.tif 000013
【図１２】
2008064335.tif 000014
【図１３】
2008064335.tif 000015
【図１４】
2008064335.tif 000016